(57)【要約】【課題】喫煙室と非喫煙室との間の出入口における流入エアーの風速を、０．２ｍ／秒未満としても、煙草の煙が非喫煙室側に漏れず、非喫煙室の扉の開閉も容易に出来る出入口遮断装置を提供する。【解決手段】室内２を喫煙室３と非喫煙室４とに区分し且つこれらの間に出入口５を有し、出入口５に絞り６及びエアーカーテン発生機７を設けると共に、喫煙室３側に排風機８を設けることで、出入口５を開けた際、排風機８により非喫煙室４側から喫煙室３側に至る流入エアー９を発生させ、且つエアーカーテン発生機７からのエアーカーテン１０により出入口５を遮断し、絞り６により流入エアー９を整流して、エアーカーテン１０による出入口５のエアーの乱れを緩和して、出入口５の流入エアー９を０．２ｍ／秒未満にしても、喫煙室３内のエアーが非喫煙室４側に漏れるのを防止出来、上記課題を達成出来る。【選択図】図１
2010117118.tif 000002
【特許請求の範囲】
【請求項１】
室内を喫煙室と非喫煙室とに区分し且つこれらの間に出入口を有して、該出入口に絞りを設けると共に前記喫煙室側に排風機を設けてなり、前記出入口を開放した際、前記排風機により前記非喫煙室側から前記喫煙室側に至る流入エアーを発生させ、且つ該流入エアーを前記絞りにより整流することで、流入エアーの流速を０．２ｍ／秒より低下させても、前記喫煙室内のエアーが前記非喫煙室側に漏れるのを防止出来るようにしたことを特徴とする出入口遮断装置。
【請求項２】
前記絞りは、前記出入口の水平方向に少なくとも２００ｍｍ以上に延びている請求項１記載の出入口遮断装置。
【請求項３】
請求項１または２に記載の出入口にエアーカーテン発生機を設けて、該エアーカーテン発生機からのエアーカーテンにより前記出入口を遮断すると共に、前記絞りにより流入エアーを整流し且つエアーカーテンによる前記出入口のエアーの乱れを緩和して、前記出入口における流入エアーの流速を０．２ｍ／秒より低下させても、前記喫煙室内のエアーが前記非喫煙室側に漏れるのを防止出来るようにしたことを特徴とする出入口遮断装置。
【請求項４】
請求項３に記載の前記エアーカーテン発生機に、前記喫煙室のエアーを清浄化する機能を、付加させたことを特徴とする出入口遮断装置。
【発明の詳細な説明】
【技術分野】
【０００１】  本発明は、室内が喫煙室と非喫煙室とに区分され、これらの間に出入口が設けられ且つ喫煙室側に排風機が設けられて、出入口の開閉状態に関わりなく、喫煙室側から煙草の煙が非喫煙室側に漏れないようにした出入口遮断装置に関する。
【背景技術】
【０００２】  従来、室内の一角に喫煙室が設けられている場合は、喫煙室の出入口に扉が設けられていても、その扉が開閉される際、喫煙室内から煙草の煙が出入口を通り、非喫煙室側に漏れないようにすることが、厚生労働省労働基準局「職場における喫煙対策のためのガイドライン」に定められている。このガイドラインでは、常時、出入口における非喫煙室側から喫煙室内に流入するエアーの風速を０．２ｍ／秒以上に保持することが、推奨されている。【０００３】  したがって、出入口の大きさが１ｍ（幅）×２ｍ（高さ）とすると、０．２ｍ／秒×１ｍ×２ｍ×６０秒／分＝２４ｍ３／分の排風機が、喫煙室の面積や容積に関係なく、喫煙室に設けられなければならないことになり、喫煙室及び喫煙室を経由して非喫煙室から毎分２４ｍ３／分相当のエアーが外に排出されることになる。
【発明の開示】
【発明が解決しようとする課題】
【０００４】  上記のように、出入口における非喫煙室側から喫煙室内に流入するエアーの風速を０．２ｍ／秒以上に保持すると、喫煙室ないし非喫煙室から毎分２４ｍ３／分相当のエアーが外に排出されることになるから、内外気温差の大きい冬期及び夏期では過大なエネルギーロスとなり、排風機自体の容量も大きくなったりで、ランニングコストが上昇する。その上、出入口により喫煙室に繋がっている非喫煙室に扉が設けられ、その扉が非喫煙室の外側に開く場合、風圧により開きにくいが閉め易く、逆に、扉が非喫煙室の内側に開く場合、風圧により開け易いが閉めにくくなる、現象が生じる。さらに、喫煙室に設けられている排風機の容量が小さく、出入口における非喫煙室側から喫煙室内に流入するエアーの風速を０．２ｍ／秒以上に確保できない場合には、排風機の取替が必要となる。【０００５】  そこで、本発明は、上記事情に鑑みてなされたもので、喫煙室と非喫煙室との間の出入口における非喫煙室側から喫煙室側に流入するエアーの風速を、０．２ｍ／秒未満としても、煙草の煙が喫煙室側から非喫煙室側に漏れないようにし、さらに、非喫煙室の扉の開閉も容易に出来る出入口遮断装置を提供することを課題とする。
【課題を解決するための手段】
【０００６】  本発明は、上記課題を達成するために提案されたものであって、下記の構成からなることを特徴とするものである。
すなわち、請求項１記載の発明は、室内を喫煙室と非喫煙室とに区分し且つこれらの間に出入口を有し、該出入口に絞りを設けると共に前記喫煙室側に排風機を設けてなり、前記出入口を開放した際、前記排風機により前記非喫煙室側から前記喫煙室側に至る流入エアーを発生させ、且つ該流入エアーを前記絞りにより整流することで、流入エアーの流速を０．２ｍ／秒より低下させても、前記喫煙室内のエアーが前記非喫煙室側に漏れるのを防止出来るようにしたことを特徴とする出入口遮断装置である。【０００７】  請求項２記載の発明は、前記絞りは、前記出入口の水平方向に少なくとも２００ｍｍ以上に延びている出入口遮断装置である。【０００８】  請求項３記載の発明は、上記した出入口にエアーカーテン発生機を設けて、該エアーカーテン発生機からのエアーカーテンにより前記出入口を遮断すると共に、前記絞りにより流入エアーを整流し且つエアーカーテンによる前記出入口のエアーの乱れを緩和して、前記出入口における流入エアーの流速を０．２ｍ／秒より低下させても、前記喫煙室内のエアーが前記非喫煙室側に漏れるのを防止出来るようにしたことを特徴とする出入口遮断装置である。【０００９】  請求項４記載の発明は、上記したエアーカーテン発生機に、前記喫煙室内のエアーを清浄化する機能を、付加させたことを特徴とする出入口遮断装置である。
【発明の効果】
【００１０】  以上詳述したように、本発明によれば、以下のような効果がある。
請求項１記載の発明は、出入口を開放した際、絞りにより、排風機による出入口の流入エアーを整流して、その流入方向を喫煙室側に向ける。したがって、出入口における非喫煙室側から喫煙室側に向かう流入エアーの風速を、０．２ｍ／秒より低下させても、喫煙室内の煙草の煙が非喫煙室側に漏れないように出来、しかも、非喫煙室に設置した扉の開閉を容易にできる効果がある。【００１１】  請求項２記載の発明は、絞りが出入口の水平方向に少なくとも２００ｍｍ以上延びていると、出入口における流入エアーを整流してその流入方向を喫煙室側に向け得る。したがって、上記の効果を確実にする効果がある。【００１２】  請求項３記載の発明は、エアーカーテン発生機からのエアーカーテンにより、喫煙室内のエアーを出入口にて遮断すると共に、その絞りにより、排風機による出入口の流入エアーを整流し、且つエアーカーテンによる出入口のエアーの乱れを緩和して、流入エアーの流入方向を喫煙室側に向ける。したがって、出入口における非喫煙室側から喫煙室側に流入するエアーの風速を、０．２ｍ／秒より低下させても、より確実に喫煙室内の煙草の煙が非喫煙室側に漏れないように出来、非喫煙室に設置した扉の開閉を容易にできる効果がある。【００１３】  請求項４記載の発明は、エアーカーテン発生機に付加させた清浄化の機能により、喫煙室内のエアーを清浄化してから、エアーカーテンとして吹き出し、喫煙室内のエアーを出入口にて遮断する。したがって、上記の効果に加えて、絞りによってエアーカーテンによる出入口のエアーの乱れの緩和が不十分となっても、エアーカーテン源が清浄化エアーであるから特に影響ない効果がある。
【発明を実施するための最良の形態】
【００１４】  以下に、図面を参照して本発明を実施するための最良の形態を説明する。
【実施例１】
【００１５】  図１は本発明の実施の形態を示す出入口遮断装置の斜視図、図２は図１の出入口遮断装置の空気清浄機付のエアーカーテン発生機の断面図である。図面において、出入口遮断装置１は、室内２を喫煙室３と非喫煙室４とに区分し且つこれらの間に出入口５を有して、この出入口５に絞り６及びエアーカーテン発生機７を設けると共に、喫煙室３側に排風機８を設けてなり、出入口５を開放した際、排風機８により非喫煙室４側から喫煙室３側に至る流入エアー９を発生させ、且つエアーカーテン発生機７からのエアーカーテン１０により出入口５を遮断すると共に、絞り６により流入エアー９を整流することで、エアーカーテン１０による出入口５のエアーの乱れを緩和して、出入口５における流入エアー９の流速を０．２ｍ／秒より低下させても、喫煙室３内のエアーが非喫煙室４側に漏れるのを防止出来るようにしたものである。【００１６】  前記室内２は、一般住宅、商工業施設、公共施設、交通機関などあらゆるものを含み、喫煙室３と非喫煙室４とに区分され、これらの間に出入口５があれば、全て本発明の出入口遮断装置１の設置対象となる。さらに、この出入口５は、扉が有っても無くても、全て出入口遮断装置１の設置対象となる。【００１７】  前記排風機８は、前記喫煙室３側に設置されているのが前提になるが、設置されていなくても、後付で設置出来れば特に支障がない。この排風機８の容量は、通常設置されている室内２の換気回数により定められているので、室内２が喫煙室３と非喫煙室４とに区分されていて、その出入口５での非喫煙室４側から喫煙室３側に入る流入エアー９の流速が上記したガイドラインの推奨値である０．２ｍ／秒に満たない場合が多い。排風機８の容量は、例えば、出入口５の寸法が幅９００ｍｍ×高さ１８００ｍｍの場合、０．９ｍ×１．８ｍ×０．２ｍ／秒×６０秒／分＝１９．４４ｍ３／分となり、喫煙室３の大きさに関係なく、排風機８の容量が決まることになる。なお、この計算例では、出入口５の寸法を幅９００ｍｍ×高さ１８００ｍｍとしたが、日本人の体格向上と外国人の増加とにより、最近の傾向として、幅１０００ｍｍ×高さ２０００ｍｍ程度になっている。【００１８】  前記絞り６は、出入口５の水平方向の寸法Ｌ１が少なくとも２００ｍｍ以上、例えば、出入口５の喫煙室３側に少なくとも２００ｍｍ以上水平方向に延びている。すなわち、絞り６は、出入口５の両側面及び天井面に寸法Ｌ１が２００ｍｍ以上の板２０、２１及び２２を設けてなるものである。これらの板２０、２１及び２２は、後に詳述するように、２００ｍｍ以上あれば充分な効果が認められ、長くなればなるほど良い効果が得られるが、経済性や効率の面から５００ｍｍ程度が限界になるものと思われる。なお、図１の場合、板２２はエアーカーテン発生機９の側板が兼ねることになる。【００１９】  前記エアーカーテン発生機７は、図２に示すように、エアーカーテン１０を発生させるものであり、下部に後述の空気清浄機４０接続の開口部３１を有している角パイプ３０と、開口部３１から所定長さを隔てた設置箇所３０ａから上部３０ｂに至る角パイプ３０の壁面３２に複数連続して設けた、ほぼ同一形状のエアー通路３３と、角パイプ３０内に設置され��各エアー通路３３の各内側開口３３ａを通るエアー量を自在に調整する風量調整板３４と、を少なくとも含んでなり、各エアー通路３３の各内側開口３３ａと風量調整板３４との距離Ｌ２を、軸３５を支点として矢線Ａ方向に回動し調整して、各エアー通路３３の各外側開口３３ｂから外部に出るエアーを、一様流にしたエアーカーテン１０を発生させるものである。なお、エアーカーテンを発生する方式には、特に限定がなく、例えばイオン風でも良い。【００２０】  そして、喫煙室３内のエアーを清浄化する機能は、エアーカーテン発生機７の開口部３１に空気清浄機４０を接続したものである。この空気清浄機４０は、その機体４１に吸込口４２及び排出口４３を有し、さらに、この機体４１内には清浄化フィルター４４とその下流に送風機４５とが内蔵されている。【００２１】  前記清浄化フィルター４４は、吸込口４２から機体４１内に吸い込んだ煙草の煙などの比較的大きな粒子を除去するプレフィルター４６と、このプレフィルター４６を通過した微細粒子を除去する電気集塵機４７と、この電気集塵機４７を通過した超微細粒子、臭気成分などを除去する脱臭フィルター４８と、の３部構成となっている。また、この電気集塵機４７の代わりに、少なくとも微細粒子を除去出来るメカニカルフィルターを用い、更に、超微細粒子、臭気成分の除去機能をも併せ持つ高性能なメカニカルフィルターを併用してもよい。【００２２】  そして、前記送風機４５は、エアーカーテン発生機７からのエアーカーテン１０、すなわち、エアーカーテン１０及び喫煙室３により囲われた空間のエアーを吸込口４２から吸引することが出来、その上に、空気清浄機４０の機体４１内の清浄フィルター４４を通過し、さらに、排出口４３からエアーカーテン発生機７の開口部３１に受け渡され、角パイプ３０内に入り、各エアー通路３３を通過して、設定したエアーカーテン１０となるのに必要とされる、基本的な容量及び圧力を有する条件が加算されること以外、特に限定がない。【００２３】  そして、この空気清浄機４０の送風機４５を作動させると、吸込口４２から喫煙室３内の煙草の煙などを含んだエアーを吸い込んで機体４１内に入り、清浄フィルター４４により清浄化され、その清浄化エアーは排出口４３からエアーカーテン発生機７の開口部３１に受け渡され、角パイプ３０内に入り各エアー通路３３を通過して、設定した一様流、すなわち良質なエアーカーテン１０となり、清浄化エアーにより出入口５を区分することが出来る。したがって、空気清浄機４０付きエアーカーテン発生機７は、煙草の煙などの汚染空気を清浄化出来ると共に、良質なエアーカーテン１０より室内２を確実に区分することが出来る。【００２４】  次に、上記構成になる出入口遮断装置１の使用状況を説明する。
まず、排風機８を作動させると、空気清浄機４０付きエアーカーテン発生機７を作動させていなくても、出入口５を開放してあると、出入口５に非喫煙室４側から喫煙室３側に向かう流入エアー９が発生する。この流入エアー９の流速は、排風機８の容量と出入口５の面積とにより決まり、ガイドラインの推奨値である０．２ｍ／秒あれば、喫煙室３内のエアーが非喫煙室４側に漏れることはない。この流入エアー９の流速が０．２ｍ／秒未満であっても、出入口５にある絞り６により、流入エアー９を整流してその流入方向を喫煙室３側に向けるから、喫煙室３内の煙草の煙が非喫煙室４側に漏れず、しかも、流入エアー９の流速が遅いから、非喫煙室４にある扉の開閉を容易にできる。【００２５】  次に、空気清浄機４０付きのエアーカーテン発生機７を作動させると、すなわち、送風機４５を作動させると、空気清浄機４０の吸込口４２から喫煙室３内の煙草の煙などを含んだエアーを吸い込んで機体４１内に入り、清浄フィルター４４により清浄化され、その清浄化エアーは排出口４３からエアーカーテン発生機７の開口部３１に受け渡され、角パイプ３０内に入り各エアー通路３３を通過して、設定した一様流、すなわち良質なエアーカーテン１０となり、この良質なエアーカーテン１０によって、喫煙室３内のエアーを出入口５にて確実に遮断すると共に、これに加えて、上記したように絞り６により、出入口５における流入エアー９を整流し、且つエアーカーテン１０による出入口５のエアーの乱れを緩和して、流入エアー９の流入方向を喫煙室３側に確実に向けことができる。したがって、出入口５における非喫煙室４側から喫煙室３側に流入するエアーの風速を、０．２ｍ／秒に低下させても、より確実に喫煙室３内の煙草の煙が非喫煙室４側に漏れないようにすることが出来、非喫煙室４に扉があってもその開閉を容易にできる。
【実施例２】
【００２６】  図３、４は、本発明の他の実施の形態を示す出入口遮断装置１Ａであり、図１、２に示す出入口遮断装置１との相違点は、出入口５の天井面にエアーカーテン発生機７Ａを設け、このエアーカーテン発生機７Ａからエアーカーテン１０Ａを吹き下ろす点にある。そして、このエアーカーテン発生機７Ａは、エアーカーテン１０Ａの幅寸法が小さいため、エアーカーテン１０Ａを直接的に形成できるクロスフローファンタイプの送風機４５Ａを採用する。その他の構成、作用は、図１、２の出入口遮断装置１と同様なので、図面に符号を付してその説明を省略する。なお、エアーカーテン発生機７Ａに、点線で示す空気清浄機４０Ａを取り付けても良く、この空気清浄機４０Ａも、図１、２の空気清浄機４０とほぼ同様なので、図面に符号を付してその説明を省略する。【００２７】  以下に、本発明の出入口遮断装置の優位性を実証したので、それを以下に示す。
〈基準値測定〉
まず、出入口における流入エアーの流速を０．２ｍ／秒とし、絞り無しの場合について、非喫煙室側の粉塵濃度を測定し、その粉塵の漏れ量を基準値とする。
〈測定例１〉
出入口における流入エアーの流速を０．１ｍ／秒とし、絞りの寸法を１００ｍｍ、２００ｍｍ、３５０ｍｍ、５００ｍｍの各場合について、非喫煙室側の粉塵濃度を測定する。すなわち、絞りの寸法（ｍｍ）を横軸に取り、粉塵の漏れ量（ｍｇ／ｍ３）を縦軸に取って、これら各絞りの寸法における粉塵の漏れ量をプロットしてグラフ化する。
〈比較例１〉
出入口における流入エアーの流速を０．１ｍ／秒とし、絞り無しの場合について、非喫煙室側の粉塵濃度を測定する。
〈測定例２〉
出入口における流入エアーの流速を０．０５ｍ／秒とし、絞りの寸法を１００ｍｍ、２００ｍｍ、３５０ｍｍ、５００ｍｍの各場合について、非喫煙室側の粉塵濃度を測定する。これら各絞りの寸法における粉塵の漏れ量を測定例１の場合と同様にプロットしてグラフ化する。これらを図５、６に示す。【００２８】  図５によれば、絞りの寸法を２００ｍｍ以上とすれば、出入口における流入エアーの流速を０．１ｍ／秒としても、ガイドラインの推奨値である０．２ｍ／秒の場合とほぼ同様な結果が得られた。また、図６によれば、絞りの寸法を５００ｍｍ以上とすれば、出入口における流入エアーの流速を０．０５ｍ／秒としても、上記した０．２ｍ／秒の場合とほぼ同様な結果が得られた。よって、本発明の出入口遮断装置の優位性を実証することが出来た。【００２９】  以上、本発明の実施例１、２を説明したが、具体的な構成はこれに限定されず、本発明の要旨を逸脱しない範囲での変更・追加、各請求項における他の組み合わせにかかるものも、適宜可能であることが理解されるべきである。
【産業上の利用可能性】
【００３０】  本発明の出入口遮断装置は、喫煙室と非喫煙室との間の出入口における非喫煙室側から喫煙室側に流入するエアーの風速が、排風機の容量不足により０．２ｍ／秒以上取れなくても、さらに空調負荷の軽減の意味から０．２ｍ／秒以上取りたくない場合も、煙草の煙が喫煙室側から非喫煙室側に漏れないようにし、さらに、非喫煙室の扉の開閉も容易にしたい場合に、その利用可能性が極めて高くなる。
【図面の簡単な説明】
【００３１】
【図１】  本発明の実施の形態を示す出入口遮断装置の斜視図である（実施例１）。
【図２】  図１の出入口遮断装置の空気清浄機付のエアーカーテン発生機の断面図である（実施例１）。
【図３】  本発明の他の実施の形態を示す図１と同状の斜視図である（実施例２）。
【図４】  本発明の他の実施の形態を示す図１と同状の断面図である（実施例２）。
【図５】  本発明の優位性を示す絞り寸法と非喫煙室側の粉塵の漏れ量との特性図である（実施例１）。
【図６】  本発明の優位性を示す絞り寸法と非喫煙室側の粉塵の漏れ量との特性図である（実施例１）。
【符号の説明】
【００３２】１、１Ａ                出入口遮断装置
２                      室内
３                      喫煙室
４                      非喫煙室
５                      出入口
６                      絞り
７、７Ａ                エアーカーテン発生機
８                      排風機
９                      流入エアー
１０、１０Ａ            エアーカーテン
２０、２１、２２        板
３０                    角パイプ
３０ａ                  設置箇所
３０ｂ                  上部
３１                    開口部
３２                    壁面
３３                    エアー通路
３３ａ                  内側開口
３３ｂ                  外側開口
３４                    風量調整板
３５                    軸
４０                    空気清浄機
４１                    機体
４２                    吸込口
４３                    排出口
４４                    清浄化フィルター
４５、４５Ａ            送風機
４６                    プレフィルター
４７                    電気集塵機
４８                    脱臭フィルター
Ｌ１                    水平方向の寸法
Ｌ２                    距離
【図１】
2010117118.tif 000003
【図２】
2010117118.tif 000004
【図３】
2010117118.tif 000005
【図４】
2010117118.tif 000006
【図５】
2010117118.tif 000007
【図６】
2010117118.tif 000008